(57)【要約】【課題】  溝をパネルの窓に嵌めるタイプのコネクタカバーにおいて、防塵、防滴効果を高める。【解決手段】  ゴム状弾性体製で正面に開口１３を有する概略直方体状の胴部４内にコネクタ１８が収容され、胴部４の外周面に、環状に形成された溝３２を、パネル２４の窓２６の縁に嵌入する。窓２６及び開口１３を介してコネクタ１８がパネル２４側に設けたコネクタ２８と接続され、溝３２の外周長さは窓２６の外周長さと等しく、溝３２は、外に凸の円弧状部を有し、窓２６の正面形状と異なる形状に形成されている。【選択図】  図１
2013251202.tif 000002
【特許請求の範囲】
【請求項１】
ゴム状弾性体製で、内部の空洞に一方のコネクタが収容される、正面が開口した胴部と、
この胴部の外周面に、この外周面を包囲するように環状に形成され、パネルに形成された正面形状が概略矩形の窓の縁に嵌入される溝とを、
有し、前記窓及び前記正面側の開口を介して前記一方のコネクタが前記パネル側に設けた他方のコネクタと接続され、前記溝の外周長さは前記窓の外周長さと等しく、前記溝は、外に凸の円弧状部を有し、前記窓の正面形状と異なる形状に形成されたコネクタカバー。
【請求項２】
請求項１記載のコネクタカバーにおいて、前記正面側から見た前記溝の断面形状は、楕円形に形成されているコネクタカバー。
【請求項３】
請求項１記載のコネクタカバーにおいて、前記正面側から見た前記溝の断面形状は、円形に形成されているコネクタカバー。
【請求項４】
請求項１乃至３記載のコネクタカバーにおいて、前記胴部は、前記溝の形状と相似形に形成されているコネクタカバー。
【発明の詳細な説明】
【技術分野】
【０００１】
本発明は、電気機器に取り付けたコネクタをカバーするコネクタカバーに関する。
【背景技術】
【０００２】
従来、コネクタカバーとしては、例えば特許文献１に開示されているようなものがある。特許文献１の技術によれば、本体ケースに形成した開口の内周縁部に、弾性キャップに環状の溝を形成し、この環状の溝を開口の内周縁部に嵌合させてある。
【先行技術文献】
【特許文献】
【０００３】
【特許文献１】実公平６−３７０９７号公報
【発明の概要】
【発明が解決しようとする課題】
【０００４】
特許文献１の技術において、弾性キャップを若干柔らかい材料、例えば熱可塑性エラストマで製作することがある。この場合、開口の周縁部に環状の溝を嵌めると、弾性キャップの一部が内側に窪むことがあり、その結果、溝と開口の周縁部との間に隙間ができ、この隙間から粉塵や水滴が本体ケース内に進入しやすくなる。
【０００５】
本発明は、カバーに設けた溝と開口周縁とを嵌め合わせる構成のコネクタカバーにおいて防塵、防滴効果を高めることを、目的とする。
【課題を解決するための手段】
【０００６】
本発明の一態様のコネクタカバーは、胴部を有し、この胴部はゴム状弾性体製で、内部の空洞に一方のコネクタが収容されるもので、正面が開口している。この胴部の外周面に、この外周面を包囲するように溝が環状に形成されている。この溝は、パネルに形成された正面形状が概略矩形の窓の縁に嵌入される。前記窓及び前記正面側の開口を介して前記一方のコネクタが前記パネル側に設けた他方のコネクタと接続される。前記溝の外周長さは前記窓の外周長さと等しく、前記溝は、外に凸の円弧状部を有し、前記窓の正面形状と異なる形状に形成されている。
【０００７】
このように構成すると、外に凸の円弧状部を変形させて、コネクタカバーを同じ外周長さで正面形状の異なるパネルの窓に挿入した状態で、コネクタカバーの溝が外に凸の元の形状に戻ろうとする復元力が働き、窓の直線部を気密に押圧する。その結果、窓と溝との間には隙間が形成されず、防塵、防滴効果が高めることができる。
【０００８】
前記溝及び胴部は、それらの正面側から見て、楕円形あるいは円形に形成してもよい。このようにすると、溝部の復元力がほぼ均等に作用し、窓と溝との気密性を確実に高めることができる。ただし、溝及び胴部の正面形状を円形にする場合、溝の外周長さと窓の外周長さを同じ長さにすると、コネクタカバー全体が大きくなり、組み立ての際には胴部の変形量を大きくしなければ窓に溝を嵌入することができない。そのため、溝及び胴部の正面形状は、矩形状の各辺を外側に膨らませたような、外に凸の円弧状部とするか、矩形状に近い楕円形に形成するのが好ましい。
【０００９】
胴部の正面形状を溝の形状と相似形にすることもできる。このようにすると、窓に溝が嵌入された状態で、溝の復元力に加えて、溝よりも肉厚な胴部が元の形状に戻ろうとする力も作用し、窓と溝部との間の気密性をより高めることができる。また、このようにすれば、窓に溝を嵌入するために溝を変形させるとき、胴部を変形させると胴部と同様に溝も変形するため、容易に溝の変形量を把握しながら組み立てることができる。
【発明の効果】
【００１０】
以上のように、本発明によれば、コネクタカバーに形成した溝をパネルの開口の周縁に嵌め込む型式のコネクタカバーにおいて、防塵、防滴効果を高めることができる。
【図面の簡単な説明】
【００１１】
【図１】本発明の第1の実施形態のコネクタカバーの側面図、縦断側面図及び正面図並びにこのコネクタカバーでカバーされるコネクタが接続されるコネクタを有する電気機器のパネルの部分省略正面図である。
【図２】図１のコネクタカバーでカバーされるコネクタが接続されるコネクタを有する電気機器の部分省略正面図である。
【図３】本発明の第２の実施形態のコネクタカバーの縦断正面図及びパネルの窓の正面図である。
【図４】図１のコネクタカバーにおいて溝を直線状として窓に嵌入した状態を示す略図である。
【発明を実施するための形態】
【００１２】
本発明の第１の実施形態のコネクタかカバー２は、ゴム状弾性体、例えば熱可塑性エラストマ製で、図１（ａ）に示すように、胴部４を有している。胴部４は、同図（ｃ）に示すように、上壁６、下壁８及び側壁１０、１２を有する概略直方体状のもので、正面側に同図（ｂ）に示すように開口１３を有している。
【００１３】
この胴部４の後部に連なって四角錐状部１４が形成され、この四角錐状部１４の尖端側に連なって円錐状部１６が形成され、これらの内部も空洞である。
【００１４】
このコネクタカバー２の胴部４の内部に、同図（ｂ）に示すように、一方のコネクタ１８が配置され、正面の開口１３側に、このコネクタ１８の接続面が位置している。このコネクタ１８に接続されているコード２０が、四角錐状部１４及び円錐状部１６の内部を通り、円錐状部１６の尖端に設けた開孔２２を通って、コネクタカバー２の外部に導出されている。このコネクタ１８は、同図（ｂ）に示すように他方のコネクタ２８に接続される。他方のコネクタ２８は、機器、例えば電気機器のケース内に配置され、その接続面が、図２に示すようにケースが備えるパネル２４の正面に形成した窓２６から外部を望んでいる。なお、円錐状部１６の外周囲には、複数の円環状溝３０が形成されている。
【００１５】
同図（ｃ）に示すように、窓２６は、上縁２６ａ、下縁２６ｂ、側縁２６ｃ、２６ｄを有し、これら上縁２６ａ、下縁２６ｂ及び側縁２６ｃ、２６ｄは直線状であり、窓２６は、正面形状が４隅を丸めた概略矩形のものである。同図（ｂ）に示すように、コネクタカバー２をパネル２４の窓２６に取り付けるために、胴部４の正面開口１３から幾分後方によった位置に、溝３２が形成されている。この溝３２は同図（ｃ）に示すように、窓２６の上縁２６ａに対応する上部溝３２ａ、下縁２６ｂに対応する下部溝３２ｂ、両側縁２６ｃ、２６ｄに対応する側部溝３２ｃ、３２ｄを有し、その縦断正面形状が胴部４の外周囲を包囲する概略矩形環状に形成されている。この溝３２は、胴部４の正面形状と相似形である。
【００１６】
溝３２の全長は、窓２６の周縁の全長と等しく形成されているが、同図（ｃ）、（ｄ）の比較から明らかなように、上部溝３２ａは、上縁２６ａよりも外側に凸となる円弧状に形成され、下部溝３２ｂ、側部溝３２ｃ、３２ｄも、下縁２６ｂ、側縁２６ｃ、２６ｄよりも外側に凸となる円弧状にそれぞれ形成されている。即ち、溝３２の正面縦断形状は、その全周にわたって外側に凸に形成され、窓２６とは異なる形状とされている。このように溝３２を形成するために、上部溝３２ａ、下部溝３２ｂ及び側部溝３２ｃ、３２ｄが形成されている胴部４の上壁６、下壁８及び側壁１０、１２の部分も、同図（ｃ）に示すように外方に向かって凸となるように円弧状に形成されている。
【００１７】
このように構成されたコネクタカバー２は、コネクタ１８、２８を接続した後、コネクタカバー４の上壁６、下壁８及び側壁１０、１２を縮むように撓ませて、溝３２の上部溝３２ａ、下部溝３２ｂ及び側部溝３２ｃ、３２ｄを窓２６の上縁２６ａ、下縁２６ｃ及び側縁２６ｃ、２６ｄにそれぞれ嵌入する。この状態で、コネクタカバー４の溝３２の上部溝３２ａ、下部溝３２ｂ及び側部溝３２ｃ、３２ｄが外に凸の元の形状に戻ろうとする復元力が働き、窓２６の直線状である上縁２６ａ、下縁２６ｂ、側縁２６ｃ、２６ｄを気密に押圧する。その結果、窓２６と溝３２との間には隙間が形成されず、防塵、防滴効果を高めることができる。しかも、溝３２の正面重々断面形状と胴部４の正面形状とは相似形であるので、窓２６の周縁に溝３２が嵌入された状態で、溝３２の復元力に加えて、溝３２よりも肉厚な胴部４が元の形状に戻ろうとする復元力も作用し、窓２６と溝部３２との間の気密性をより高めることができる。また、窓２６に溝３２を嵌入するために溝３２を変形させるとき、胴部４を変形させると胴部４と同様に溝３２も変形するので、容易に溝の変形量を把握しながら組み立てることができる。
【００１８】
例えば図４に示すように、溝３２と窓２６とを同一形状とした場合、即ち溝３２の上部溝３２ａ、下部溝３２ｂ及び側部溝３２ｃ、３２ｄを、窓２６の上縁２６ａ、下縁２６ｂ及び側縁２６ｃ、２６ｄと同じ長さの直線状で窓２６の四隅と同じ丸みを四隅に持つ形状として、溝３２を窓２６に嵌入した場合、コネクタカバー４の材質の影響を受けて、胴部４が撓み、長さが長い上部溝３２ａ、下部溝３２ｂにおいて内側に撓みが生じ、両者の間に隙間が発生し、防塵、防滴効果が損なわれる。
【００１９】
第１の実施形態のコネクタカバー４では、上述したように溝３２の正面断面形状を窓２６の正面形状よりも大きくして、窓２６に嵌入してあるので、溝３２が元の形状に復帰しようとして窓２６の縁に密着する。
【００２０】
本発明の第２の実施形態を図３に示す。この実施形態のカバー２ａは、胴部４ａを楕円柱型に形成し、溝３２ａも正面縦断面形状が胴部４ａの正面形状と相似形の楕円形となるように形成されている。窓２６は、第１の実施形態の窓２６と同一の形状である。溝３２ａの外周長さは、窓２６の外周長さと同一に構成されている。他の構成は、第１の実施形態の構成と同一であるので、詳細な説明は省略する。
【００２１】
このコネクタカバー２ａ窓２６に取り付ける場合、楕円柱状の胴部４ａの正面開口付近を、窓２６に対応した四角形に変形させ、溝３２ａを窓２６の周縁に嵌入する。胴部４ａの正面開口付近の部分は、元の楕円柱状の形状に戻ろうとし、窓２６の周縁に密着し、両者の間に隙間が生じることがなく、防塵、防滴効果を高めることができる。なお、符号３３で示すのは抜け止め部である。
【００２２】
上記の両実施形態では、胴部４、４ａの後部に四角状部１４及び円錐状部１６を形成したが、コネクタ１８に接続されているコード２０に応じて他の形状とすることもできる。第２の実施形態では、溝３２ａの正面縦断面形状を楕円形状としたが、円形とすることもできる。
【符号の説明】
【００２３】
２  ２ａ  コネクタカバー
４  ４ａ  胴部
６  上壁
８  下壁
１０、１２  側壁
１３  正面の開口
１８  コネクタ
２４  パネル
２６  窓
２８  コネクタ
３２  ３２ａ  溝
【図１】
2013251202.tif 000003
【図２】
2013251202.tif 000004
【図３】
2013251202.tif 000005
【図４】
2013251202.tif 000006